(57)【要約】【課題】  インターネット等のパブリックネットワークを介してネットワークファクシミリ装置に接続された端末にも、当該ネットワークファクシミリ装置内の内部情報を提供可能とする。【解決手段】  本発明のネットワークファクシミリ装置１００は、自装置の内部情報を含むウェブページ情報を、ＬＡＮ３０４を介して接続されたクライアント端末３０６に送信可能に構成される。ネットワークファクシミリ装置１００は、ＰＳＴＮ３００を介して、他の端末（たとえば情報取得装置２００）から内部情報の送信要求を受け付ける通信制御部１０２と、情報取得装置２００に、内部情報を送信可能か否かを判断する通知処理部１０４と、を含む。通信制御部１０２は、内部情報を送信可能と判断された他の端末に、インターネット３０２を介して当該内部情報を送信する。【選択図】        図１
2006054687.tif 000002
【特許請求の範囲】
【請求項１】
自装置の内部情報を、プライベートネットワークを介して接続されたクライアント端末に送信可能に構成されたネットワークファクシミリ装置であって、
第一のパブリックネットワークを介して、他の端末から前記内部情報の送信要求を受け付ける送信要求受付手段と、
前記送信要求の送信元の前記他の端末に、前記内部情報を送信可能か否かを判断する判断手段と、
前記内部情報を送信可能と判断された前記他の端末に、第二のパブリックネットワークを介して当該内部情報を送信する送信処理手段と、
を含むことを特徴とするネットワークファクシミリ装置。
【請求項２】
請求項１に記載のネットワークファクシミリ装置において、
前記第二のパブリックネットワークはインターネットであって、前記送信処理手段は、前記他の端末に、電子メール形式で前記内部情報を送信することを特徴とするネットワークファクシミリ装置。
【請求項３】
請求項１または２に記載のネットワークファクシミリ装置において、
前記送信要求受付手段は、バイナリ形式のファクシミリデータを受信した場合に、当該ファクシミリデータに他の端末からの前記内部情報の送信要求が含まれているか否かを判断することを特徴とするネットワークファクシミリ装置。
【請求項４】
請求項１乃至３いずれかに記載のネットワークファクシミリ装置において、
他のネットワークファクシミリ装置から、当該他のネットワークファクシミリ装置の内部情報を電子メール形式で受信する受信手段と、
前記受信手段が受信した内部情報に基づき、当該内部情報を含むウェブページを生成するウェブページ生成手段と、
前記ウェブページを表示する表示手段と、
をさらに含むことを特徴とするネットワークファクシミリ装置。
【請求項５】
ネットワークファクシミリ装置から、当該ネットワークファクシミリ装置の内部情報を電子メール形式で受信する受信手段と、
前記受信手段が受信した内部情報に基づき、当該内部情報を含むウェブページを生成するウェブページ生成手段と、
前記ウェブページを表示する表示手段と、
を含むことを特徴とする情報取得装置。
【請求項６】
請求項５に記載の情報取得装置において、
ネットワークファクシミリ装置に、当該ネットワークファクシミリ装置の内部情報の送信要求を、バイナリ形式のファクシミリデータとして送信する送信処理手段をさらに含むことを特徴とする情報取得装置。
【請求項７】
請求項１乃至４いずれかに記載のネットワークファクシミリ装置と、
請求項５または６に記載の情報取得装置と、
を含むことを特徴とするネットワークシステム。
【発明の詳細な説明】
【技術分野】
【０００１】
この発明は、ネットワークファクシミリ装置および情報取得装置、ならびにこれらを含むネットワークシステムに関し、とくに、パブリックネットワークで接続されたネットワークファクシミリ装置および情報端末装置、ならびにこれらを含むネットワークシステムに関する。
【背景技術】
【０００２】
近年、ネットワークファクシミリ機能に加えて、ネットワークプリンタ機能やネットワークスキャナ機能等を備えたＭＦＰ（Multi Functional Peripheral）等のネットワークファクシミリ装置が開発されている。このようなネットワークファクシミリ装置は、ウェブサーバ機能を有し、たとえばＬＡＮ等のプライベートネットワークを介して接続されたクライアント端末に所定のウェブページ情報を送信するように構成されている。これにより、ＬＡＮ上のクライアント端末から、ブラウザを利用してＭＦＰの機器設定情報を閲覧したり、機器設定情報を変更したりすることができる（特許文献１）。
【特許文献１】特開２００１−１８６３０１号公報
【発明の開示】
【発明が解決しようとする課題】
【０００３】
しかし、インターネット等のパブリックネットワークに接続された端末からもネットワークファクシミリ装置内の設定情報を含む内部情報にアクセスできるようにしようとすると、ＨＴＴＰポートをオープンにしなければならないため、セキュリティ上、種々の対策を取る必要があり、実現が困難である。
【０００４】
本発明はこうした点に鑑みてなされたもので、その目的は、インターネット等のパブリックネットワークを介してネットワークファクシミリ装置に接続された端末にも、当該ネットワークファクシミリ装置の内部情報を提供可能とする技術の提供にある。
【課題を解決するための手段】
【０００５】
本発明によれば、自装置の内部情報を、プライベートネットワークを介して接続されたクライアント端末に送信可能に構成されたネットワークファクシミリ装置であって、第一のパブリックネットワークを介して、他の端末から内部情報の送信要求を受け付ける送信要求受付手段と、送信要求の送信元の他の端末に、内部情報を送信可能か否かを判断する判断手段と、内部情報を送信可能と判断された他の端末に、第二のパブリックネットワークを介して当該内部情報を送信する送信処理手段と、を含むことを特徴とするネットワークファクシミリ装置が提供される。
【０００６】
ここで、プライベートネットワークはたとえばＬＡＮ等のイントラネットとすることができる。本発明のネットワークファクシミリ装置は、ＨＴＴＰサーバ機能を有し、ブラウザプログラムがインストールされたクライアント端末からの内部情報の取得要求に応じて、内部情報を当該クライアント端末に送信することができる。ここで、内部情報は、プライベートネットワークを介して接続されたクライアント端末からのみアクセス可能とすることができる。
【０００７】
第一のパブリックネットワークは、インターネットやＰＳＴＮとすることができる。第二のパブリックネットワークは、インターネットとすることができる。ネットワークファクシミリ装置は、パブリックネットワークに接続された他の端末から、ファクシミリデータや電子メール形式で自装置の内部情報の送信要求を受け付ける。他の端末からファクシミリデータで内部情報の送信要求を受け付ける場合、ファクシミリデータはバイナリ形式で送信されることが好ましい。これにより、内部情報の送信要求の内容を容易に解析することができる。
【０００８】
本発明のネットワークファクシミリ装置は、他の端末から内部情報の送信要求とともに、他の端末の識別情報等を受け付ける手段をさらに含むことができ、判断手段は、他の端末の識別情報に基づき、当該他の端末のユーザが内部情報の取得を許可されているか否か等を判断し、内部情報を送信可能か否かを判断することができる。
【０００９】
本発明のネットワークファクシミリ装置によれば、プライベートネットワークで接続されたクライアント端末からのみアクセス可能とした内部情報を、パブリックネットワークを介して接続された端末にも、提供可能とすることができる。
【００１０】
本発明のネットワークファクシミリ装置において、第二のパブリックネットワークはインターネットとすることができ、送信処理手段は、他の端末に、電子メール形式で内部情報を送信することができる。
【００１１】
ここで、送信処理手段は、電子メール形式で内部情報を送信する際に、たとえば電子メールのタイトルを「内部情報」のように設定することができる。これにより、他の端末側で、通常の電子メールを受信したのか、ネットワークファクシミリ装置の内部情報を含む電子メールを受信したのかの判断を容易に行うことができる。
【００１２】
本発明のネットワークファクシミリ装置において、送信要求受付手段は、バイナリ形式のファクシミリデータを受信した場合に、当該ファクシミリデータに他の端末からの内部情報の送信要求が含まれているか否かを判断することができる。
【００１３】
本発明のネットワークファクシミリ装置は、他のネットワークファクシミリ装置から、当該他のネットワークファクシミリ装置の内部情報を電子メール形式で受信する受信手段と、受信手段が受信した内部情報に基づき、当該内部情報を含むウェブページを生成するウェブページ生成手段と、ウェブページを表示する表示手段と、をさらに含むことができる。
【００１４】
このようにすれば、ネットワークファクシミリ装置において、状況に応じて、他の端末に自装置の内部情報を送信したり、他のネットワークファクシミリ装置からそのネットワークファクシミリ装置の内部情報を取得して表示したりすることができる。
【００１５】
本発明によれば、ネットワークファクシミリ装置から、当該ネットワークファクシミリ装置の内部情報を電子メール形式で受信する受信手段と、受信手段が受信した内部情報に基づき、当該内部情報を含むウェブページを生成するウェブページ生成手段と、ウェブページを表示する表示手段と、を含むことを特徴とする情報取得装置が提供される。
【００１６】
このように、ネットワークファクシミリ装置から受信した内部情報をウェブページとして表示することにより、ユーザが、ネットワークファクシミリ装置の内部情報を簡易に把握することができる。情報取得装置は、複数のネットワークファクシミリ装置の内部情報を管理する装置とすることもでき、内部情報がウェブページとして表示されると、複数のネットワークファクシミリ装置の内部情報を管理する際であっても、ユーザが利便性よく内部情報の把握を行うことができる。
【００１７】
本発明の情報取得装置は、ネットワークファクシミリ装置に、当該ネットワークファクシミリ装置の内部情報の送信要求を、バイナリ形式のファクシミリデータとして送信する送信処理手段をさらに含むことができる。
【００１８】
本発明によれば、上記いずれかに記載のネットワークファクシミリ装置と、上記いずれかに記載の情報取得装置と、を含むことを特徴とするネットワークシステムが提供される。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、インターネット等のパブリックネットワークを介してネットワークファクシミリ装置に接続された端末にも、当該ネットワークファクシミリ装置内の内部情報を提供可能とすることができる。
【発明を実施するための最良の形態】
【００２１】
図１は、本実施の形態におけるネットワークファクシミリ装置および情報取得装置を含むネットワークシステムの構成を示すブロック図である。
【００２２】
ネットワークファクシミリ装置１００は、たとえばＭＦＰ（Multi Functional Peripheral）等である。ネットワークファクシミリ装置１００は、ＬＡＮ３０４等のプライベートネットワークを介してクライアント端末３０６と接続される。クライアント端末３０６は、たとえばパーソナルコンピュータ等である。ネットワークファクシミリ装置１００は、ＨＴＴＰサーバ機能を有し、クライアント端末３０６からのウェブページの取得要求に応じて、所定のウェブページ情報をクライアント端末３０６に送信する。クライアント端末３０６にはブラウザプログラムがインストールされており、クライアント端末３０６は、ＨＴＴＰクライアント機能を有する。ネットワークファクシミリ装置１００から、ネットワークファクシミリ装置１００の内部情報をクライアント端末３０６にＨＴＴＰで送信することにより、クライアント端末３０６からもネットワークファクシミリ装置１００の内部情報を閲覧することができる。
【００２３】
ここで、ネットワークファクシミリ装置１００の内部情報とは、たとえばネットワークファクシミリ装置１００のファクシミリデータの送受信記録、印刷処理記憶、スキャン処理記憶等の設定情報や、ネットワークファクシミリ装置１００のトナーの残量や、印刷紙の残量等、ネットワークファクシミリ装置１００のメンテナンス情報等である。
【００２４】
また、ネットワークファクシミリ装置１００は、ＰＳＴＮ（公衆交換電話網）３００やインターネット３０２等のパブリックネットワークを介して情報取得装置２００と接続される。
【００２５】
本実施の形態において、情報取得装置２００は、ネットワークファクシミリ装置１００に、その内部情報を送信させるための指示キーをＰＳＴＮ３００を介してファクシミリデータとして送信する。ネットワークファクシミリ装置１００は、情報取得装置２００を認証した後に、要求のあった内部情報を、インターネット３０２を介して電子メール形式で情報取得装置２００に送信する。ここでは図示していないが、情報取得装置２００は、複数のネットワークファクシミリ装置１００から各ネットワークファクシミリ装置１００の内部情報を取得することができる。情報取得装置２００は、複数のネットワークファクシミリ装置１００のメンテナンス情報等を管理する管理装置とすることができる。また、情報取得装置２００は、他のネットワークファクシミリ装置とすることもでき、普段クライアント端末３０６を用いてネットワークファクシミリ装置１００の内部情報を閲覧しているユーザが外出先からネットワークファクシミリ装置１００の内部情報を閲覧するために用いることもできる。
【００２６】
ネットワークファクシミリ装置１００は、通信制御部１０２、通知処理部１０４、ユーザ情報記憶部１０６、内部情報記憶部１０８、出力処理部１１０、およびＨＴＴＰサーバ１１２を含む。
【００２７】
情報取得装置２００は、通信制御部２０２、指示キー作成部２０４、ＨＴＴＰサーバ２０６、ブラウザ機能部２０８、表示部２１０、およびメール受信処理部２１２を含む。
【００２８】
なお、図１において、本発明の本質に関わらない部分の構成については省略してあり、たとえば、ネットワークファクシミリ装置１００の構成である原稿読み取り部、画像処理部等は図示していない。
【００２９】
また、ネットワークファクシミリ装置１００および情報取得装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。本図は、ハードウエア単位の構成ではなく、機能単位のブロックを示している。
【００３０】
通信制御部１０２は、ＰＳＴＮ３００またはインターネット３０２を介して情報取得装置２００と通信を行う。通信制御部１０２は、情報取得装置２００からファクシミリデータを受信すると、当該ファクシミリデータが、ネットワークファクシミリ装置１００の内部情報の送信要求であるか否かを判断する。情報取得装置２００は、バイナリ形式のファクシミリデータとして内部情報の送信要求である指示キーをネットワークファクシミリ装置１００に送信する。通信制御部１０２は、受信したファクシミリデータがバイナリ形式か否かを判断し、ファクシミリデータがバイナリ形式の場合、内容を解析して、内部情報の送信要求が含まれるか否かを判断する。情報取得装置２００から受信したファクシミリデータが、ネットワークファクシミリ装置１００の内部情報の送信要求の場合、通信制御部１０２は、通知処理部１０４にその旨を通知する。
【００３１】
一方、情報取得装置２００から受信したファクシミリデータが、通常のデータの場合、通信制御部１０２は、出力処理部１１０に当該ファクシミリデータを出力させる。出力処理部１１０は、通知処理部１０４が受信したファクシミリデータを印刷出力してもよく、たとえばＬＡＮ３０４等を介してクライアント端末３０６等の他の端末に転送してもよい。また、出力処理部１１０は、受信したデータをネットワークファクシミリ装置１００に含まれる記憶部（不図示）に単に記憶するだけでもよい。
【００３２】
内部情報記憶部１０８は、ネットワークファクシミリ装置１００の内部情報を記憶する。
【００３３】
ＨＴＴＰサーバ１１２は、クライアント端末３０６からウェブページ情報の取得要求があると、内部情報記憶部１０８から所定の情報を読み出し、指定されたＵＲＬのウェブページ情報をクライアント端末３０６に送信する処理を行う。
【００３４】
ユーザ情報記憶部１０６は、ＰＳＴＮ３００やインターネット３０２を介して内部情報記憶部１０８の情報を取得することを許可されたユーザの識別情報を記憶する。ここで、識別情報は、たとえば送信元の電話番号（ファクシミリ番号）や、送信元のメールアドレス等とすることができる。
【００３５】
通知処理部１０４は、通信制御部１０２から、情報取得装置２００からネットワークファクシミリ装置１００の内部情報の送信要求があった旨の通知を受けると、ユーザ情報記憶部１０６を参照して、当該送信要求の送信元のユーザが内部情報記憶部１０８の情報の取得を許可されているか否かを判断する。そのユーザが内部情報記憶部１０８の情報の取得を許可されている場合、通知処理部１０４は、該当する情報を内部情報記憶部１０８から読み出す。
【００３６】
通信制御部１０２は、通知処理部１０４が読み出した情報を、送信要求のあった情報取得装置２００に電子メール形式で送信する。通信制御部１０２は、ネットワークファクシミリ装置１００の内部情報を含む電子メールを送信する場合、電子メールのタイトルをたとえば「内部情報」とする。これにより、情報取得装置２００において、受信した電子メールがネットワークファクシミリ装置１００の内部情報を含むものか否かを容易に判断することができる。また、通知処理部１０４は、内部情報記憶部１０８から読み出した情報を暗号化する処理を行うこともできる。これにより、内部情報記憶部１０８の情報のセキュリティを確保することができる。
【００３７】
情報取得装置２００は、たとえばＭＦＰ（Multi Functional Peripheral）やパーソナルコンピュータ等である。以下、情報取得装置２００がＭＦＰである場合を例として説明する。
【００３８】
通信制御部２０２は、ＰＳＴＮ３００やインターネット３０２を介してネットワークファクシミリ装置１００と通信を行う。
【００３９】
指示キー作成部２０４は、ネットワークファクシミリ装置１００にその内部情報を送信要求するための指示キーを作成する。指示キーは、情報取得装置２００の電子メールアドレスやネットワークファクシミリ装置１００から取得したい内部情報の指定を含む。指示キー作成部２０４は、情報取得装置２００のユーザの指示に基づき、指示キーを作成することができる。
【００４０】
通信制御部２０２は、指示キー作成部２０４が作成した指示キーをファクシミリデータとして、ＰＳＴＮ３００を介してネットワークファクシミリ装置１００に送信する。ここで、通信制御部２０２は、指示キーをバイナリ形式でネットワークファクシミリ装置１００に送信する。これにより、ネットワークファクシミリ装置１００において、情報取得装置２００からの指示キーを容易に解析することができる。
【００４１】
また、通信制御部２０２は、ネットワークファクシミリ装置１００から、電子メールを受信すると、当該電子メールがネットワークファクシミリ装置１００の内部情報を含むか否かを判断する。通信制御部２０２は、たとえば電子メールのタイトルに基づき、その電子メールがネットワークファクシミリ装置１００の内部情報を含むか否かを判断することができる。ネットワークファクシミリ装置１００から受信した電子メールがネットワークファクシミリ装置１００の内部情報を含む場合、通信制御部２０２は、ＨＴＴＰサーバ２０６にその情報を転送する。
【００４２】
一方、ネットワークファクシミリ装置１００から受信した電子メールが通常のデータの場合、通信制御部２０２はメール受信処理部２１２にそのデータを転送する。メール受信処理部２１２は、メール受信処理を行い、通常の電子メールとして表示部２１０に表示させる。
【００４３】
ＨＴＴＰサーバ２０６は、通信制御部２０２から転送された内部情報に基づき、内部情報を含むウェブページを生成する。
【００４４】
ブラウザ機能部２０８は、ブラウザプログラムにより実現することができる。ブラウザ機能部２０８は、ＨＴＴＰサーバ２０６からウェブページを取得する。表示部２１０は、ブラウザ機能部２０８が取得したウェブページを表示する。
【００４５】
これにより、情報取得装置２００のユーザは、ネットワークファクシミリ装置１００とＬＡＮ３０４と接続されていない箇所からでも、ネットワークファクシミリ装置１００の内部情報を取得して閲覧することができる。
【００４６】
図２は、本実施の形態におけるネットワークファクシミリ装置１００の処理手順を示すフローチャートである。
【００４７】
通信制御部１０２は、ファクシミリデータを受信すると（Ｓ１００のＹＥＳ）、そのファクシミリデータが内部情報の送信要求であるか否かを判断する（Ｓ１０２）。ファクシミリデータが内部情報の送信要求の場合（Ｓ１０２のＹＥＳ）、通信制御部１０２はその旨を通知処理部１０４に通知する。通知処理部１０４は、ファクシミリデータの送信元のファクシミリ番号に基づき、ユーザ情報記憶部１０６を参照して、送信元の認証を行う（Ｓ１０４）。送信元の端末が認証され、内部情報を送信可能であると判断された場合（Ｓ１０６のＹＥＳ）、通知処理部１０４は、内部情報記憶部１０８から該当する内部情報を読み出し、当該内部情報を含む電子メールを作成する。通知処理部１０４は、通知処理部１０４が作成した電子メールをファクシミリデータの送信元の端末に送信する（Ｓ１０８）。
【００４８】
ステップＳ１０２において、受信したファクシミリデータが内部情報の送信要求ではない場合、通信制御部１０２は、そのファクシミリデータを通常のファクシミリとして受信処理を行う（Ｓ１１２）。具体的には、受信したファクシミリデータを印刷したり、他の端末に転送したり、ネットワークファクシミリ装置１００内の記憶部に記憶する等の処理を行う。
【００４９】
また、ステップＳ１１０において、送信元の端末が認証されず、内部情報を送信不可と判断された場合（Ｓ１０６のＮＯ）、通知処理部１０４は、エラー通知を行う（Ｓ１１０）。エラー通知は、送信元の端末に電子メールで通知されてもよく、また送信元の端末には送信されず、ネットワークファクシミリ装置１００の管理者に通知されるようにすることもできる。
【００５０】
図３は、情報取得装置２００の処理手順を示すフローチャートである。
【００５１】
通信制御部２０２は、電子メールを受信すると（Ｓ２００のＹＥＳ）、その電子メールがネットワークファクシミリ装置１００の内部情報を含むか否かを判断する（Ｓ２０２）。電子メールが内部情報を含む場合（Ｓ２０２のＹＥＳ）、通信制御部２０２はその電子メールをＨＴＴＰサーバ２０６に転送する（Ｓ２０４）。ＨＴＴＰサーバ２０６は、転送された電子メールの情報に基づき、ウェブページを生成する（Ｓ２０６）。ブラウザ機能部２０８は、ＨＴＴＰサーバ２０６からウェブページを取得し、ネットワークファクシミリ装置１００の内部情報を表示部２１０に表示させる（Ｓ２０８）。
【００５２】
ステップＳ２０２において、受信した電子メールがネットワークファクシミリ装置１００の内部情報を含まない場合（Ｓ２０２のＮＯ）、通信制御部２０２は、その電子メールをメール受信処理部２１２に転送する。メール受信処理部２１２は、受け取った電子メールを通常の電子メールとして、表示部２１０に表示させる（Ｓ２１０）。
【００５３】
本実施の形態におけるネットワークファクシミリ装置１００によれば、ＬＡＮ３０４等のプライベートネットワークを介して接続されたクライアント端末３０６だけでなく、ＰＳＴＮ３００やインターネット３０２等のパブリックネットワークを介して接続された情報取得装置２００からでも、ネットワークファクシミリ装置１００の内部情報を閲覧可能とすることができる。この際、ネットワークファクシミリ装置１００のＨＴＴＰサーバ１１２をパブリックネットワークにオープンにするのではないため、内部情報記憶部１０８に記憶された内部情報のセキュリティを保つこともできる。
【００５４】
また、本実施の形態における情報取得装置２００は、ＨＴＴＰサーバ機能およびブラウザ機能を有するので、ネットワークファクシミリ装置１００から電子メール形式で送信された内部情報のデータに基づき、ネットワークファクシミリ装置１００の内部情報をウェブページとして表示することができる。これにより、情報取得装置２００を用いて、他のネットワークファクシミリ装置のメンテナンス情報等を容易に管理することができる。
【００５５】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５６】
図４に示したように、ネットワークファクシミリ装置１００は、情報取得装置２００の機能も含む構成とすることができる。すなわち、ネットワークファクシミリ装置１００は、上述したように、情報取得装置２００等の他の端末に自己の内部情報を送信する機能に加えて、他のネットワークファクシミリ装置の内部情報を取得して、そのネットワークファクシミリ装置のメンテナンス情報等を管理するために用いることもできる。
【００５７】
以上の実施の形態においては、情報取得装置２００がＰＳＴＮ３００を介して指示キーを含むファクシミリデータをネットワークファクシミリ装置１００に送る形態を示したが、情報取得装置２００は、電子メール形式でインターネット３０２を介して指示キーをネットワークファクシミリ装置１００に送信することもできる。ネットワークファクシミリ装置１００は、電子メールを受信した場合、受信した電子メールに内部情報の送信要求が含まれるか否かを判断し、送信要求が含まれる場合は、上述したのと同様の処理により、情報取得装置２００に内部情報を送信することができる。
【００５８】
また、情報取得装置２００側において、ＨＴＴＰサーバ２０６は、情報取得装置２００内に設けられておらず、情報取得装置２００とＬＡＮで接続された他の端末により実現されてもよい。
【００５９】
また、情報取得装置２００側において、ＨＴＴＰサーバ２０６を有しない構成とすることもでき、通知処理部１０４は、ＨＴＭＬ形式の電子メールを送信するようにすることもできる。また、情報取得装置２００は、ＨＴＴＰサーバ２０６およびブラウザ機能部２０８を有しない構成とすることもでき、ネットワークファクシミリ装置１００から送信された電子メールをそのままメール受信処理部２１２により表示部２１０に表示させることもできる。
【００６０】
また、以上の実施の形態においては、ネットワークファクシミリ装置１００が指示キーを受け取ると、情報取得装置２００に内部情報を送信する形態を示したが、情報取得装置２００は、指示キーにネットワークファクシミリ装置１００から定期的に内部情報を送信させる指示を含めることもできる。この場合、ネットワークファクシミリ装置１００は、指定された期間ごとに情報取得装置２００に内部情報を送信する。また、情報取得装置２００は、ネットワークファクシミリ装置１００の所定の内部情報が更新等された場合に情報取得装置２００にその内部情報を送信させる指示を指示キーに含めることもできる。
【図面の簡単な説明】
【００６１】
【図１】実施の形態におけるネットワークファクシミリ装置および情報取得装置を含むネットワークシステムの構成を示すブロック図である。
【図２】ネットワークファクシミリ装置の処理手順を示すフローチャートである。
【図３】情報取得装置の処理手順を示すフローチャートである。
【図４】ネットワークファクシミリ装置の他の例を示すブロック図である。
【符号の説明】
【００６２】
１００  ネットワークファクシミリ装置
１０２  通信制御部
１０４  通知処理部
１０６  ユーザ情報記憶部
１０８  内部情報記憶部
１１０  出力処理部
１１２  ＨＴＴＰサーバ
２００  情報取得装置
２０２  通信制御部
２０４  指示キー作成部
２０６  ＨＴＴＰサーバ
２０８  ブラウザ機能部
２１０  表示部
２１２  メール受信処理部
３００  ＰＳＴＮ
３０２  インターネット
３０４  ＬＡＮ
３０６  クライアント端末
【図１】
2006054687.tif 000003
【図２】
2006054687.tif 000004
【図３】
2006054687.tif 000005
【図４】
2006054687.tif 000006